(57)【要約】      （修正有）【課題】必要に応じてその照明方向を上向きにしたり下向きにしたりすることができるとともに、太陽光を効率よく受けて充電することができ、遊び心をも備える照明灯を提供する。【解決手段】筐体１５の一方の面に外側に向けて重置されるソーラーパネル１１と、前記一方の面に相対する他方の面に外側に向けて取着される照明灯１３と、前記筐体内に配置されるバッテリーとを備え、前記ソーラーパネルおよび前記バッテリー間には該バッテリーに充電させる充電回路が形成され、前記照明灯および前記バッテリー間には該照明灯を点灯させる照明回路が形成され、前記筐体は前記一方の面および前記他方の面に平行な回転軸３１を中心として回動可能であり、切替スイッチにより前記充電回路が開放されて前記照明回路が遮断され、あるいは該照明回路が開放されて該充電回路が遮断され、筐体の回動動力として風や水流を利用できる構成とした。【選択図】図１
0003164244.tif 000002
【実用新案登録請求の範囲】
【請求項１】
筐体の一方の面に外側に向けて重置されるソーラーパネルと、
前記一方の面に相対する他方の面に外側に向けて取着される照明灯と、
前記筐体内に配置されるバッテリーと、を備え、
前記ソーラーパネルおよび前記バッテリー間には該ソーラーパネルが発電した電力を該バッテリーに充電させる充電回路が形成され、
前記照明灯および前記バッテリー間には該バッテリーが充電した電力を該照明灯に供給して該照明灯を点灯させる照明回路が形成され、
前記筐体は前記一方の面および前記他方の面に平行な回転軸を中心として回動可能であり、
切替スイッチにより前記充電回路が開放されて前記照明回路が遮断され、あるいは該照明回路が開放されて該充電回路が遮断される、ことを特徴とする回動式照明灯。
【請求項２】
前記切替スイッチによる前記充電回路の開放／遮断および前記照明回路の遮断／開放は、前記筐体が半回転することにより連動して行われる、ことを特徴とする請求項１に記載の回動式照明灯。
【請求項３】
前記照明灯は複数個の発光ダイオードと、該複数個の発光ダイオードをカバーする照明カバーと、該発光ダイオードの光を該照明カバー方向に反射させる反射板とを備えている、ことを特徴とする請求項１または請求項２に記載の回動式照明灯。
【請求項４】
前記ソーラーパネルは前記筐体に対して開閉自在に蝶着され、該ソーラーパネルと該筐体との挟角は所望の角度で固定可能である、ことを特徴とする請求項１ないし請求項３のいずれかに記載の回動式照明灯。
【請求項５】
前記筐体は手動または第１の電動モーターで回動する、ことを特徴とする請求項１ないし請求項４のいずれかに記載の回動式照明灯。
【請求項６】
前記第１の電動モーターにはその稼働をＯＮ／ＯＦＦとする第１のタイマーが備えられている、ことを特徴とする請求項５に記載の回動式照明灯。
【請求項７】
前記回転軸には外周にはす歯歯車が刻設されるウォームホィールが連設され、該はす歯歯車に嵌合するねじ歯車が刻設されるウォームが該ウォームホィールに嵌合し、
前記ウォームの先端に前記バッテリーが充電した電力で回転する第２の電動モーターが固着されて該第２の電動モーターにより前記筐体が回動する、ことを特徴とする請求項１ないし請求項４のいずれかに記載の回動式照明灯。
【請求項８】
前記第２の電動モーターにはその稼働をＯＮ／ＯＦＦとする第２のタイマーが備えられている、ことを特徴とする請求項７に記載の回動式照明灯。
【請求項９】
前記回転軸には外周縁にはす歯歯車が刻設されるウォームホィールが連設され、該はす歯歯車に嵌合するねじ歯車が刻設されるウォームが該ウォームホィールに嵌合し、
前記ウォームの先端には前記ウォームを回動させる回転体が固着される、ことを特徴とする請求項１ないし請求項３のいずれかに記載の回動式照明灯。
【請求項１０】
前記回転体は人力で回転する弾み車、流下する液体で回転する水車、または屋外の風で回転する風車のいずれかである、ことを特徴とする請求項９に記載の回動式照明灯。
【考案の詳細な説明】
【技術分野】
【０００１】
本考案は、庭や塀に設置されるソーラーパネルを備える屋外灯に関する。
【背景技術】
【０００２】
従来から、屋外に設置される屋外灯として、太陽光を受けて発電するソーラーパネルを備えたものが知られていて、このような技術が、例えば、特許文献１や特許文献２に開示されている。
【０００３】
特許文献１は、発明の名称「街路灯及び照明灯」に係り、「消費電力を格段に節約することができると共に広範囲に照明することができる街路灯及び照明灯を提案する」ことを課題としている。また、特許文献２は、発明の名称「屋外灯」に係り、「ソーラーパネルを太陽光に合わせられるように回転変位自在となして、照明部のバッテリーの点検や交換といったメンテナンスを容易に実施することができ、また支柱を安定的に設置することができる屋外灯を提供する」ことを課題としている。
【先行技術文献】
【特許文献】
【０００４】
【特許文献１】特開２００３−１５１３２０号公報
【特許文献２】特開２００９−２１８０８６号公報
【考案の開示】
【考案が解決しようとする課題】
【０００５】
ところで、庭に使用される屋外灯は、視界を遮って景色の邪魔になることのないように低い位置に設置されて上向きに照らしたり、足元を照らすために下向きに照らしたりする必要があるが、特許文献１や特許文献２に開示の街路灯、照明灯あるいは屋外灯は、いずれも人の身長よりも高い位置から下方に向けて照らすように構成されていて、上向きに照らす配慮はされていない。
【０００６】
そこで、本考案は、庭や塀に使用されるソーラーパネルを備える屋外灯であって、必要に応じてその照明方向を上向きにしたり下向きにしたりすることができるとともに、太陽光を効率よく受けて充電することができ、遊び心をも備える回動式の照明灯を提供することを課題とする。
【課題を解決するための手段】
【０００７】
上記課題を達成するために、本願請求項１に係る回動式照明灯は、筐体の一方の面に外側に向けて重置されるソーラーパネルと、前記一方の面に相対する他方の面に外側に向けて取着される照明灯と、前記筐体内に配置されるバッテリーと、を備え、前記ソーラーパネルおよび前記バッテリー間には該ソーラーパネルが発電した電力を該バッテリーに充電させる充電回路が形成され、前記照明灯および前記バッテリー間には該バッテリーが充電した電力を該照明灯に供給して該照明灯を点灯させる照明回路が形成され、前記筐体は前記一方の面および前記他方の面に平行な回転軸を中心として回動可能であり、切替スイッチにより前記充電回路が開放されて前記照明回路が遮断され、あるいは該照明回路が開放されて該充電回路が遮断される、ことを特徴としている。
また、本願請求項２に係る回動式照明灯は、請求項１に記載の回動式照明灯であって、前記切替スイッチによる前記充電回路の開放／遮断および前記照明回路の遮断／開放は、前記筐体が半回転することにより連動して行われる、ことを特徴としている。
そして、本願請求項３に係る回動式照明灯は、請求項１または請求項２に記載の回動式照明灯であって、前記照明灯は複数個の発光ダイオードと、該複数個の発光ダイオードをカバーする照明カバーと、該発光ダイオードの光を該照明カバー方向に反射させる反射板とを備えている、ことを特徴としている。
さらに、本願請求項４に係る回動式照明灯は、請求項１ないし請求項３のいずれかに記載の回動式照明灯であって、前記ソーラーパネルは前記筐体に対して開閉自在に蝶着され、該ソーラーパネルと該筐体との挟角は所望の角度で固定可能である、ことを特徴としている。
また、本願請求項５に係る回動式照明灯は、請求項１ないし請求項４のいずれかに記載の回動式照明灯であって、前記筐体は手動または第１の電動モーターで回動する、ことを特徴としている。
そして、本願請求項６に係る回動式照明灯は、請求項５に記載の回動式照明灯であって、前記第１の電動モーターにはその稼働をＯＮ／ＯＦＦとする第１のタイマーが備えられている、ことを特徴としている。
さらに、本願請求項７に係る回動式照明灯は、請求項１ないし請求項４のいずれかに記載の回動式照明灯であって、前記回転軸には外周縁にはす歯歯車が刻設されるウォームホィールが連設され、該はす歯歯車に嵌合するねじ歯車が刻設されるウォームが該ウォームホィールに嵌合し、前記ウォームの先端に前記バッテリーが充電した電力で回転する第２の電動モーターが固着されて該第２の電動モーターにより前記筐体が回動する、ことを特徴としている。
また、本願請求項８に係る回動式照明灯は、請求項７に記載の回動式照明灯であって、前記第２の電動モーターにはその稼働をＯＮ／ＯＦＦとする第２のタイマーが備えられている、ことを特徴としている。
そして、本願請求項９に係る回動式照明灯は、請求項１ないし請求項３のいずれかに記載の回動式照明灯であって、前記回転軸には外周にはす歯歯車が刻設されるウォームホィールが連設され、該はす歯歯車に嵌合するねじ歯車が刻設されるウォームが該ウォームホィールに嵌合し、前記ウォームの先端には前記ウォームを回動させる回転体が固着される、ことを特徴としている。
さらに、本願請求項１０に係る回動式照明灯は、請求項９に記載の回動式照明灯であって、前記回転体は人力で回転する弾み車、流下する液体で回転する水車、または屋外の風で回転する風車のいずれかである、ことを特徴としている。
【考案の効果】
【０００８】
本考案は以下の効果を奏する。
（１）筐体の表面または裏面のいずれか一方の面にソーラーパネルが配置され、他方の面に照明灯が配置される筐体が回動可能となっているため、日中はソーラーパネルを表面にして太陽に向けることができるので、太陽光を効率よく受けて充電することができる。さらに、ソーラーパネルの筐体に対する挟角を所望の角度とすることができるので、太陽光にソーラーパネルを直角に近い角度で対向させてより効率的に充電することができる。
（２）また、筐体が回動可能となっているため、必要に応じて照明灯の照明方向を上向きにしたり下向きにしたりして使用することができる。
（３）照明灯に複数個の発光ダイオードを使用することにより、消費電力を格段に節約し、夜間の点灯時間を延ばすことができる。また、照明カバーおよび反射板により、照明光を広範囲に拡散させることができる。
（４）切替スイッチによりバッテリーへの充電および照明灯の点灯を任意に切り替えることができる。さらに、切替スイッチを筐体の半回転と連動させて作動させ、第１のタイマーを介して第１の電動モーターでその半回転を行うようにすれば、効率よく無駄なく行うことができる。
（５）ウォームホィールとウォームからなるウォームギヤを使用することにより、ウォームの回転を大きく減速できるため、たとえ第２の電動モーターやの風車、水車の回転トルクが小さくとも無理なく筐体を回転させることができる。
（６）なお、ウォームの回転を風車や水車で行う場合には、風車や水車の動きが視覚や遊び心に訴えて疲れを癒すようなヒーリング効果を奏するものとすることができる。
【図面の簡単な説明】
【０００９】
【図１】実施例１に係る回動式照明灯の正面図である。
【図２】実施例１に係る回動式照明灯の側面図であって、図１のII側から見た図である。
【図３】実施例１に係る回動式照明灯のブロック図である。
【図４】実施例２に係る回動式照明灯の正面図である。
【図５】実施例２に係る回動式照明灯の側面図であって、図４のＶ側から見た図である。
【図６】実施例２に係る回動式照明灯のブロック図である。
【図７】実施例１および実施例２係る回動式照明灯のVII−VII矢視断面図である。
【図８】実施例１および実施例２に係る回動式照明灯の回路概要図である。
【考案を実施するための形態】
【００１０】
本考案を実施するための形態に係る実施例１および実施例２について、図１ないし図８を参照して説明する。
【００１１】
図１ないし図８において、符号１は実施例１に係る回動式照明灯、符号２は実施例２に係る回動式照明灯、符号１０は回動式照明灯本体、符号１１はソーラーパネル、符号１３は照明灯、符号１３１は発光ダイオード、符号１３２は反射板、符号１３３は照明カバー、符号１５は筐体、符号１７はバッテリー、符号１９１は照明回路、符号１９２は充電回路、符号１９３は切替スイッチ、符号３１は回転軸、符号３３は電動モーター収納ボックス、符号３３１は第１の電動モーター、符号３３２は第１のタイマー、符号３７は支柱、符号３９はウォームホィール、符号４１はウォーム、符号４３はウォーム支持ブラケット、符号４５は回転体、符号４５１は弾み車、である。なお、図１、図２、図４および図５におけるＧ．Ｌ．は地面を示している。
【実施例１】
【００１２】
まず、実施例１に係る回動式照明灯１について、図１ないし図３、図７および図８を参照して説明する。
【００１３】
回動式照明灯１は、主に、回動式照明灯本体１０と、回動式照明灯本体１０の側面から水平方向に突設される回転軸３１と、回転軸３１を回動自在に軸支する支柱３７と、回転軸３１の先端部に連設される第１の電動モーター３３１および第１のタイマー３３２が収納される電動モーター収納ボックス３３と、から構成され、回動式照明灯本体１０は、筐体１５と、筐体１５の一方の面に外側に向けて重置されるソーラーパネル１１と、筐体１５の一方の面に相対する他方の面に外側に向けて取着される照明灯１３と、筐体１５内に配置されるバッテリー１７と、から構成されている。
【００１４】
ソーラーパネル１１は、筐体１５に開閉自在に蝶着されていて、ソーラーパネル１１と筐体１５との挟角は所望の角度で固定可能となっている。なお、図１ではソーラーパネル１１を所定の角度で固定されている状態を示し、図４ではソーラーパネル１１を閉じて固定されている状態を示している。
【００１５】
照明灯１３は、複数個の発光ダイオード１３１と、複数個の発光ダイオード１３１をカバーする照明カバー１３３と、発光ダイオードの光を照明カバー１３３方向に反射させる反射板１３２とを備えていて、照明灯１３自体は、平面から見た形状が回転軸３１方向に長い長円形となっている。そして、反射板１３２はその中央部が回転軸３１方向に沿って照明カバー１３３に向けて膨らんだ断面から見た形状が凸面状を呈していて、複数個の発光ダイオード１３１は凸面状の反射板１３２に所定間隔を以て着脱自在に取着されている。また、照明カバー１３３はその中央部が回転軸３１方向に沿って外側に向けて膨らんだ断面から見た形状が凸面状を呈している。なお、実施例１では、照明カバー１３３を反射板１３２に着脱可能に嵌着しているが、ビスによる螺着、凹部と凸部との係着等とすることができることは勿論である。また、実施例１における照明カバー１３３は平面から見た形状が長円形を呈しているが、照明カバー１３３はデザイン上様々な形状、例えばボックス型、カップ型等とすることができることも勿論である。
【００１６】
照明灯１３およびバッテリー１７間には、バッテリー１７が充電した電力を照明灯１３に供給して照明灯１３を点灯させる照明回路１９１（図８において点線で示す回路）が形成され、ソーラーパネル１１およびバッテリー１７間には、ソーラーパネル１１が発電した電力をバッテリー１７に充電させる充電回路１９２（図８において一点鎖線で示す回路）が形成されるが、照明回路１９１および充電回路１９２の切り替えは切替スイッチ１９３によって行われる。すなわち、切替スイッチ１９３の操作により、照明回路１９１が開放され充電回路１９２が遮断されて照明回路１９１のみが形成され、あるいは充電回路１９２が開放され照明回路１９１が遮断されて充電回路１９２のみが形成されるようになっている。
【００１７】
回転軸３１は、回動式照明灯本体１０の略重心を通る直線に沿って筐体１５の側面から水平方向に突設されていて、回転軸３１を回動自在に軸支する支柱３７を貫通している。そして支柱３７を貫通した先端には、第１の電動モーター３３１および第１のタイマー３３２が収納される電動モーター収納ボックス３３が連設されていて、第１の電動モーター３３１の回転は歯車伝動機構により減速されて回転軸３１に伝達されるようになっている。なお、実施例１では、支柱３１を回動式照明灯本体１０の片側のみに立設しているが、両側に立設しても良い。
【００１８】
第１のタイマー３３２は、定刻になると電動モーター３３１の稼働をＯＮにするようになっていて、例えば、第１のタイマー３３２を午前６時および午後５時にセットした場合には、午前６時になると、電動モーター３３１に電力を供給して、第１の電動モーター３３１の回転により回転軸３１を介して回動式照明灯本体１０が半回転して、ソーラーパネル１１を上にして停止するようになっている。同様に、午後５時になると、電動モーター３３１に電力を供給して、第１の電動モーター３３１の回転により回転軸３１を介して回動式照明灯本体１０が半回転して、照明灯１３を上にして停止するようになっている。なお、通常は、回動式照明灯本体１０が半回転すると第１の電動モーター３３１への電源の供給は自動的に停止するようになっているが、回動式照明灯本体１０が半回転する時間と同期させて第１のタイマー３３２により第１の電動モーター３３１への電源の供給をＯＦＦとすることもできる。なお、電動モーター３３１への電力は、バッテリー１７から供給するようにしても良いが、回動式照明灯１とは別体の外部の電源から供給するようにしても良い。また、電動モーター３３１に拠らずに手動で回動式照明灯本体１０を回転するようにしても良いことは勿論である。
【００１９】
前述した切替スイッチ１９３は、回動式照明灯本体１０が半回転することにより、充電回路１９２を遮断して照明回路１９１を開放し、あるいは照明回路１９１を遮断して充電回路１９２を開放するように自動的に切り替えるようになっているが、手動で切り替えるようにすることもできる。
【００２０】
ここで、回動式照明灯１の作用について説明する。
地面に設置された回動式照明灯１は、日照時には、ソーラーパネル１１が上面になるようにし、充電回路１９２へ切り替えて、ソーラーパネル１１全表面に太陽光が浴びられるようにする。この際、実施例１では、ソーラーパネル１１が筐体１５に開閉自在に蝶着されているため、ソーラーパネル１１が太陽光と略直角に対するように筐体１５との挟角を調整することにより、有効に太陽光を浴びることができる。ソーラーパネル１１が太陽光を浴びると、ソーラーパネル１１は発電を開始して、発電した電力は充電回路１９２を介してバッテリー１７に送電され充電される。
【００２１】
日没後、すなわち、第１のタイマー３３２にセットされた時刻になると、第１の電動モーター３３１が稼働して回動式照明灯本体１０が半回転し照明灯１３が上面になる。そして、照明灯１３が上面になると、切替スイッチ１９３が作動して、照明回路１９１が遮断されて充電回路１９２が開放され、バッテリー１７から充電した電力を照明灯１３に送電して照明灯１３が点灯する。照明灯１３に複数個の発光ダイオード１３１を使用することにより、消費電力を格段に節約し、夜間の点灯時間を延ばすことができ、照明カバー１３３および反射板１３２により、照明光を広範囲に拡散させることができ、柔らかな感じの光とすることができる。
【００２２】
そして、日の出後の第１のタイマー３３２にセットされた時刻になると、再び、回動式照明灯本体１０が半回転してソーラーパネル１１が上面になって、バッテリー１７への充電が開始される。
【００２３】
以上の説明は、夜間の照明として回動式照明灯１を使用する場合に、照明灯１３を上向きにすることを前提としているが、照明灯１３を下向きにして使用する場合には、回動式照明灯本体１０の回動は不要であり、したがって、回動手段である第１の電動モーター３３１は不要となる。この場合、切替スイッチ１９３の作動を、直接、第１のタイマー３３２で行うようにすることができる。
また、第１の電動モーター３３１の回転の減速比を大きくし、あるいは、第１のタイマー３３２のＯＮ／ＯＦＦを断続的に行って、回動式照明灯本体１０の動きを太陽の動きに合わせるようにして、ソーラーパネル１１の発電能力を高めるようにするようにしても良い。
【００２４】
実施例１では回動式照明灯本体１０の形状を上下の水平方向にソーラーパネル１１および照明灯１３を配した略直方体としているが、ソーラーパネル１１および照明灯１３を垂直方向に配した縦型とすることもでき、また、回動式照明灯１を地面から立設する庭園灯として使用しているが、回動式照明灯本体１０の形状がコンパクトにまとめることができることから、外灯、案内板、誘導灯等としても使用できることは勿論である。このことは後述する実施例２でも同様である。
【００２５】
実施例１の応用例として、回動式照明灯１を直方体の筐体内に設置してブロック形状とし、このブロックを床面や壁面に埋め込み、さらには道路に埋め込んで誘導灯とすることもできる。この場合に、ブロックの表面は、光をよく通す透過性に優れた板材で構成し、さらに、支柱３７の役割をブロックの壁面に担わせことができる。
また、筐体を球形や円筒形とすることもできる。回動式照明灯１をこのような形状の筐体内に設置することにより、回動式照明灯本体１０の耐風圧性が増す。
【実施例２】
【００２６】
つぎに、実施例２に係る回動式照明灯２について、図４ないし図６、図７および図８を参照して説明するが、回動式照明灯２はその構成が回動式照明灯１と略同一であるので、異なる構成について説明する。
【００２７】
回動式照明灯２は、主に、回動式照明灯本体１０と、回動式照明灯本体１０の側面から水平方向に突設される回転軸３１と、回転軸３１を回動自在に軸支する支柱３７と、支柱３７を貫通した回転軸３１の先端部に固着されるウォームホィール３９と、ウォームホィール３９に嵌合するウォーム４１と、ウォーム４１の先端に固着される回転体４５と、から構成されている。なお、回動式照明灯本体１０については、回動式照明灯２と同一であるのでその説明を省略する。
【００２８】
前述したように、支柱３７を貫通する回転軸３１の先端部には、その外周部にはす歯歯車が刻設されるウォームホィール３９が連設され、さらに、ウォームホィール３９のはす歯歯車にウォーム４１に刻設されるねじ歯車が嵌合していて、平面から見て、回転軸３１とウォーム４１とは直交した状態となっている。すなわち、ウォーム４１の先端部に固着された回転体４５が回転すると、その回転は減速されて回転軸３１に伝達され、回動式照明灯本体１０が回転するようになっている。
【００２９】
ウォーム４１は、支柱３７から突設された一対のウォーム支持ブラケット４３、４３に回動自在に軸支され、実施例２では、ウォーム４１の先端部に固着された回転体４５に円盤状の弾み車４５１を使用していて、弾み車４５１は人力で回転させるようになっている。回転体４５には、弾み車４５１に代えて、流下する液体で回転する水車、または屋外の風で回転する風車、あるいはウォーム４１に連設される第２の電動モーター（図示外）を使用することもできる。なお、流下する液体は、自然の流れ利用しても良いし、ポンプアップした液体を循環させるようにしても良い。
また、第２の電動モーターを使用する場合にウォーム４１の回転に対するウォームホィール３９の回転減速比がより大きい場合には、直接、第２の電動モーターをウォーム４１に直結することができ、第２の電動モーターの稼働時間を第２のタイマー（図示外）を介して制御することも可能である。
【００３０】
なお、ウォームホィール３９が半回転したときに自動的にその回転を停止させるには、例えば、回転軸３１に平行にウォームホィール３９の外周近傍から支柱３７に向けてピン状の出没自在のストッパーを突設させ、そのストッパーが支柱３１に当接することによりウォームホィール３９の回転を停止させるような方法がある。
【００３１】
ここで、回動式照明灯２の作用について説明するが、回動式照明灯２の作用は回動式照明灯１と略同一であるので、異なる作用について説明する。
【００３２】
回動式照明灯２の回動式照明灯１と異なる作用は、ウォームホィール３９およびウォーム４１に由来するものである。すなわち、回動式照明灯２の回動式照明灯本体１０の回動はウォームホィール３９の回転、換言すれば、ウォーム４１の回転によって行われる。
従って、日照時にソーラーパネル１１が上面になるようにセットされた回動式照明灯本体１０は、日没後には、半回転して照明灯１３が上面になるが、この動きは回転体４５、すなわち、実施例２では弾み車４５１を手動で回転させることにより行われる。弾み車４５１は、重量のある円盤であって円盤の回転として力のエネルギーが保存されるため、回転当初は力が要るものの回転し続けようとするため、その後は僅かな力を加えるだけで良い。
【００３３】
また、弾み車４５１に代えて、回転体４５に流下する液体で回転する水車や屋外の風で回転する風車を使用することにより、回動式照明灯２のデザインの多様化が増大し、視覚や遊び感覚に訴えて疲れを癒すようなヒーリング効果を奏するものとすることができる。
【符号の説明】
【００３４】
１  実施例１に係る回動式照明灯
２  実施例２に係る回動式照明灯
１０  回動式照明灯本体
１１  ソーラーパネル
１３  照明灯
１３１  発光ダイオード
１３２  反射板
１３３  照明カバー
１５  筐体
１７  バッテリー
１９１  照明回路
１９２  充電回路
１９３  切替スイッチ
３１  回転軸
３３１  第１の電動モーター
３３２  第１のタイマー
３９  ウォームホィール
４１  ウォーム
４５  回転体
４５１  弾み車
【図１】
0003164244.tif 000003
【図２】
0003164244.tif 000004
【図３】
0003164244.tif 000005
【図４】
0003164244.tif 000006
【図５】
0003164244.tif 000007
【図６】
0003164244.tif 000008
【図７】
0003164244.tif 000009
【図８】
0003164244.tif 000010